(57)【要約】【課題】光ディスクへのデータ記録技術において、同じデータを繰り返し記録した場合にも記録膜の劣化を少なくすることができる技術の提供。【解決手段】記録用データを、データＩＤに基づき形成した略ランダムに変化するスクランブル用データによりスクランブル処理し、データ変調した後、光ディスクに記録する。【選択図】  図１２
2004318984.tif 000002
【特許請求の範囲】
【請求項１】
光ディスクに対しデータの記録、再生のいずれか一方または両方が可能な光ディスク装置におけるデータ記録方法であって、
略ランダムに変化するスクランブル用データを生成するステップと、
上記生成した上記スクランブル用データに基づき、メインデータに対してスクランブル処理を行うステップと、
上記スクランブル処理されたデータと上記スクランブル用データとを合わせたデータブロックをデータ変調し記録用データを形成するステップと、
上記形成した記録用データを上記光ディスクの記録面に記録するステップと、
を経て、上記光ディスクに対しデータを記録することを特徴とするデータ記録方法。
【請求項２】
光ディスクに対しデータの記録、再生のいずれか一方または両方が可能な光ディスク装置におけるデータ記録方法であって、
上記光ディスク上のアドレスをデータＩＤとして取得するステップと、
上記取得したデータＩＤに基づくエラーデテクションコードを生成するステップと、
上記生成したエラーデテクションコードを上記データＩＤに付加し、略ランダムに変化するスクランブル用データを生成するステップと、
上記生成した上記スクランブル用データを、ＣＰＲ＿ＭＡＩデータ領域に埋め込むステップと、
エラーデテクションコードを計算し、該エラーデテクションコード、上記スクランブル用データ、上記ＣＰＲ＿ＭＡＩデータ及びメインデータを合わせたデータブロックを形成するステップと、
上記スクランブル用データを初期値として上記メインデータに対しスクランブル処理を行うステップと、
上記スクランブル処理されたデータをデータ変調し記録用データとして形成するステップと、
上記形成した記録用データを上記光ディスクの記録面に記録するステップと、
を経て、上記光ディスクにスクランブルのかかったデータを記録することを特徴とするデータ記録方法。
【請求項３】
光ディスクに対しデータの記録、再生のいずれか一方または両方が可能な光ディスク装置であって、
略ランダムに変化するスクランブル用データを生成する手段と、
上記生成した上記スクランブル用データに基づき、メインデータに対してスクランブル処理を行う手段と、
上記スクランブル処理されたデータと上記スクランブル用データとを合わせたデータブロックをデータ変調し記録用データを形成する手段と、
上記形成した記録用データを上記光ディスクの記録面に記録する手段と、
を備えた構成を特徴とする光ディスク装置。
【請求項４】
光ディスクに対しデータの記録、再生のいずれか一方または両方が可能な光ディスク装置であって、
上記光ディスク上のアドレスをデータＩＤとして取得する手段と、
上記取得したデータＩＤに基づくエラーデテクションコードを生成する手段と、
上記生成したエラーデテクションコードを上記データＩＤに付加し、略ランダムに変化するスクランブル用データを生成する手段と、
上記生成した上記スクランブル用データを、ＣＰＲ＿ＭＡＩデータ領域に埋め込む手段と、
エラーデテクションコードを計算し、該エラーデテクションコード、上記スクランブル用データ、上記ＣＰＲ＿ＭＡＩデータ及びメインデータを合わせたデータブロックを形成する手段と、
上記スクランブル用データを初期値として上記メインデータに対しスクランブル処理を行う手段と、
上記スクランブル処理されたデータをデータ変調し記録用データとして形成する手段と、
上記形成した記録用データを上記光ディスクの記録面に記録する手段と、
を備え、上記光ディスクにスクランブルのかかったデータを記録可能にした構成を特徴とする光ディスク装置。
【請求項５】
光ディスクに対しデータの記録、再生のいずれか一方または両方が可能な光ディスク装置であって、
略ランダムに変化するスクランブル用データを生成する手段と、
上記生成した上記スクランブル用データに基づき、メインデータに対してスクランブル処理を行う手段と、
上記スクランブル処理されたデータと上記スクランブル用データとを合わせたデータブロックをデータ変調し記録用データを形成する手段と、
上記形成した記録用データを光信号として上記光ディスクの記録面に記録する手段と、
上記記録されたデータを読み取り、電気信号として再生する手段と、
上記再生した再生信号をデータ復調する手段と、
上記復調した信号に対しスクランブルを解除する手段と、
メインデータを得る手段と、
を備え、スクランブルのかかったデータの記録と再生とが可能な構成を特徴とする光ディスク装置。
【請求項６】
データが記録される光ディスクであって、
略ランダムに変化するスクランブル用データに基づきスクランブル処理されかつデータ変調されたデータが記録用データとして記録されていることを特徴とする光ディスク。
【発明の詳細な説明】
【０００１】
【発明の属する技術分野】
本発明は、光ディスクに対するデータ記録技術に関する。
【０００２】
【従来の技術】
従来、光ディスク装置としては種々の方式のものがあり、記録媒体（以下、光ディスクという）としても、ＤＶＤ−Ｒ、ＤＶＤ−ＲＡＭ、ＤＶＤ−ＲＷなどがある。また、高密度用として青色レーザを利用する技術も実用化されつつあり、さらに、カード型あるいはテープ型の媒体を用いる技術も提案されている。
光ディスクの記録膜として相変化記録膜を用いた場合、データ書換において記録膜の劣化が発生する。相変化記録膜は、アモルファス状態と結晶状態との２状態を用いて記録・消去を行い、通常は、結晶状態を消去状態、アモルファス状態を記録状態としている。アモルファス状態は、記録膜の温度を融点以上に上昇させ、溶融後に急冷させて得ることができる。一方、結晶状態は、記録膜の温度を記録膜の温度を結晶化温度以上に上昇させ、除冷することにより得ることができる。上記２状態は、記録膜に照射するレーザのパワー強度と発光パターンにより形成することができる。例えば、高いレーザパワーを用いて発光パターンを間欠発光（マルチパルス発光）させることで上記急冷の条件を実現し、アモルファス状態を得る。また、中レベルのレーザパワーを用いて一定値で発光させることで上記除冷条件を実現し、結晶状態を得る。
上記溶融アモルファス化と上記結晶化を繰り返した場合、記録膜が劣化し、データの書替えを正常に行うことができなくなる場合がある。特に、同じデータを光ディスク上の同じ場所に繰り返し記録した場合、記録膜の劣化が顕著になる。これは、記録膜に溶融する部分と溶融しない部分とが発生し、該２部分で光学特性等が変化してしまうことに起因する。
【０００３】
上記に対する対策技術として提案されたものとしては、例えば、特開平２−９４１１３号公報（特許文献１）や特開２０００−３０３６８号公報（特許文献２）に記載されたものがある。特開平２−９４１１３号公報には、光ディスクの記録開始点をシフトさせて記録する技術が記載され、特開２０００−３０３６８号公報には、記録条件に応じ、記録開始点の幅を変えたり、複数の異なるパターンに並べ替えたりして記録する技術が記載されている。
【０００４】
【特許文献１】
特開平２−９４１１３号公報
【特許文献２】
特開２０００−３０３６８号公報
【０００５】
【発明が解決しようとする課題】
上記特開平２−９４１１３号公報記載の技術では、記録開始点を大きく変化させる必要があり、また、上記特開２０００−３０３６８号公報記載の技術では、記録パターンの複雑な並べ替えを行う必要がある。
本発明の課題点は、かかる従来技術の状況に鑑み、光ディスクへのデータ記録技術として、記録開始点のシフトや記録パターンの複雑な並べ替えなどを伴わずに、同じデータを繰り返し記録した場合にも記録膜の劣化を少なくできるようにすることである。
本発明の目的は、かかる課題点を解決できる技術の提供にある。
【０００６】
【課題を解決するための手段】
上記課題点を解決するために、本発明では、光ディスクへのデータ記録技術として基本的に、記録用データを、略ランダムに変化するスクランブル用データによりスクランブル処理し、かつデータ変調したものとしてから、光ディスクに記録する。
具体的には、
（１）光ディスク装置におけるデータ記録方法として、略ランダムに変化するスクランブル用データを生成するステップと、該生成したスクランブル用データに基づき、メインデータに対してスクランブル処理を行うステップと、該スクランブル処理されたデータと上記スクランブル用データとを合わせたデータブロックをデータ変調して記録用データを形成するステップと、該形成した記録用データを上記光ディスクの記録面に記録するステップとを経て、光ディスクに対しデータを記録する。
（２）光ディスク装置におけるデータ記録方法として、光ディスク上のアドレスをデータＩＤとして取得するステップと、該取得したデータＩＤに基づくエラーデテクションコードを生成するステップと、該生成したエラーデテクションコードを上記データＩＤに付加し、略ランダムに変化するスクランブル用データを生成するステップと、該記生成したスクランブル用データをＣＰＲ＿ＭＡＩデータ領域に埋め込むステップと、エラーデテクションコードを計算し該エラーデテクションコード、上記スクランブル用データ、上記ＣＰＲ＿ＭＡＩデータ及びメインデータを合わせて成るデータブロックを形成するステップと、上記スクランブル用データを初期値として上記メインデータに対しスクランブル処理を行うステップと、該スクランブル処理されたデータをデータ変調し記録用データとして形成するステップと、該形成した記録用データを上記光ディスクの記録面に記録するステップとを経て、光ディスクにスクランブルのかかったデータを記録する。
（３）光ディスク装置として、略ランダムに変化するスクランブル用データを生成する手段と、該生成した上記スクランブル用データに基づき、メインデータに対してスクランブル処理を行う手段と、該スクランブル処理されたデータと上記スクランブル用データとを合わせて成るデータブロックをデータ変調し記録用データを形成する手段と、該形成した記録用データを上記光ディスクの記録面に記録する手段とを備えた構成とする。
（４）光ディスク装置として、光ディスク上のアドレスをデータＩＤとして取得する手段と、該取得したデータＩＤに基づくエラーデテクションコードを生成する手段と、該生成したエラーデテクションコードを上記データＩＤに付加し、略ランダムに変化するスクランブル用データを生成する手段と、該生成した上記スクランブル用データを、ＣＰＲ＿ＭＡＩデータ領域に埋め込む手段と、エラーデテクションコードを計算し、該エラーデテクションコード、上記スクランブル用データ、上記ＣＰＲ＿ＭＡＩデータ及びメインデータを合わせて成るデータブロックを形成する手段と、上記スクランブル用データを初期値として上記メインデータに対しスクランブル処理を行う手段と、該スクランブル処理されたデータをデータ変調し記録用データとして形成する手段と、該形成した記録用データを上記光ディスクの記録面に記録する手段とを備え、光ディスクにスクランブルのかかったデータを記録可能にした構成とする。
（５）光ディスク装置として、略ランダムに変化するスクランブル用データを生成する手段と、該生成した上記スクランブル用データに基づき、メインデータに対してスクランブル処理を行う手段と、該スクランブル処理されたデータと上記スクランブル用データとを合わせて成るデータブロックをデータ変調し記録用データを形成する手段と、該形成した記録用データを光信号として上記光ディスクの記録面に記録する手段と、該記録されたデータを読み取り、電気信号として再生する手段と、該再生した再生信号をデータ復調する手段と、該復調した信号に対しスクランブルを解除する手段と、メインデータを得る手段とを備え、スクランブルのかかったデータの記録と再生とが可能な構成とする。
（６）光ディスクとして、略ランダムに変化するスクランブル用データに基づきスクランブル処理されかつデータ変調されたデータが記録用データとして記録されている構成とする。
【０００７】
【発明の実施の形態】
以下、本発明の実施例につき、図面を用いて説明する。
図１は、本実施例の一実施例としての光ディスク装置のブロック図である。
図１において、１００は光ディスク、２００は、その内部に、記録または再生に使用する半導体レーザ、各種レンズ、フォトディテクタ等を備えた光ヘッドである。本実施例では、光ディスク１００に情報を記録または再生するために、光ヘッド２００からのフォーカス・トラッキング誤差信号２１０に従い、フォーカス・トラッキング制御回路２２０を通して光ヘッド２００の対物レンズ（図示せず）をコントロールする。これによって、正確なフォーカス・トラッキングを行う。なお、光ヘッド２００に関する各種オフセットについては、システムコントローラ５００から指示を出す。
【０００８】
光ヘッド２００からの再生信号は、ＲＦ増幅回路２３０で増幅された後、データ復調回路２５０を通して、システムコントローラ５００に送られ、データとして再生される。また、図１の装置は、ディスク回転用のモータ３００、モータ制御回路３１０、光ヘッド２００を移動させるためのスライダモータ３２０、該スライダモータ３２０を制御するスライダモータ制御回路３３０を備えており、それぞれシステムコントローラ５００により制御される。
【０００９】
図２は、ＤＶＤ−ＲＷの光ディスク１００の説明図である。図２（ａ）は斜視図、図２（ｂ）は平面図である。
ＤＶＤ−ＲＷと呼ばれる書換可能な光ディスクでは、その透明な基板上に相変化膜が形成されている。相変化膜では、レーザ光の照射によって結晶質状態あるいは非晶質状態のマークを作り出すことによって情報の書込みが可能であり、また、その後、マークを作ったことによる結晶質、非晶質の光の反射率の変化を読み取ることで光ディスク１００に記録された情報を再生する。
図２に示した光ディスク１００は、その内周部に、所定の制御情報記録あるいはパワーキャリブレーション等に用いるＲ−インフォメーション領域１１０と、その周辺のインフォメーション領域１２０とを備えている。上記光ディスクでは、円盤上に情報を記録するための螺旋状のトラックＴに沿い、グルーブと呼ばれる溝が形成され、情報の記録と読み出しを可能にしている。上記トラックＴは、セクタと呼ばれる記録領域に分割されており、該セクタにはその番地（アドレス）を表す信号としてＬＰＰ（Ｌａｎｄ  Ｐｒｅ−Ｐｉｔ）信号が形成されている。該ＬＰＰ信号は、凹凸ピットで上記グルーブ間のランド部に形成されている。情報の記録は上記セクタ単位あるいはＥＣＣブロック単位で行われる。ＥＣＣブロックは１６個のセクタから形成される。
上記インフォメーション領域１２０は、複数個の領域、すなわち、内側にリードイン領域１２１、外側にリードアウト領域１２２を備え、その間にユーザーの情報を読み書きするユーザーデータ領域１２３を備える。Ｒ−インフォメーション領域は、パワーキャリブレションエリア（ＰＣＡ）とレコーディングマネージメントエリア（ＲＭＡ）等に分けられている。上記ＰＣＡは、記録パワー等の最適記録条件を決定するために使用される領域であり、上記ＲＭＡは、ディスクに関する各種の記録情報等を格納しておくために使用される領域である。
上記ＲＭＡ領域はディスク情報管理に用いられ、同じデータの書換が頻繁に行われる。また、ユーザデータ領域においても、ＵＤＦフォーマット等を用いた場合には、一部の領域にデータ管理部が設けられ、この部分でも同じデータの書換が頻繁に行われる。
【００１０】
図３は、図１の光ディスク装置におけるデータ記録方法についての説明図であって、光ディスクに記録する記録データを生成する方法のフローチャートを示す。
光ディスクに記録する記録データは、データＩＤにＩＤエラーディテクションコード（ＩＥＤ）を付加し（ステップＳ４０１）、さらにメインデータとエラーディテクションコード（ＥＤＣ）を加える（ステップＳ４０２）。次に、これらのデータをスクランブル（ステップＳ４０３）した後、ＥＣＣエンコードし（ステップＳ４０４）、インターリブし（ステップＳ４０５）、さらにＳＹＮＣコードを付加して記録データが得られる。該記録データブロックをＥＣＣブロックとし、該ＥＣＣブロック単位で光ディスクにデータが記録される。本実施例構成においては、ステップＳ４０３のデータスクランブルにおいて工夫を加え、記録データ（ステップＳ４０７）をランダムにしている。
【００１１】
図４〜図７は、ランダム化についての説明図である。図４は、従来のデータスクランブル前のデータ構成図、図５は、本実施例によるデータスクランブル前のデータ構成図、図６は従来のＣＰＲ＿ＭＡＩのビット配置図、図７は、本発明によるＣＰＲ＿ＭＡＩのビット配置図である。
図４に示すように、従来のデータ構成は、４バイト（４Ｂ）のＩＤと２バイト（２Ｂ）のＩＥＤ、６バイト（６Ｂ）のＣＰＲ＿ＭＡＩ、２０４８バイトのメインデータと４バイト（４Ｂ）のＥＤＣより成っている。
これに対し、本実施形態によるデータ構成は、ＣＰＲ＿ＭＡＩの最後の１バイト（１Ｂ）にスクランブル用のスクランブルバイトＳＣＲＭＢＬを配置した。その他の構成は図４と同じである。
【００１２】
上記ＣＰＲ＿ＭＡＩはコピープロテクション情報を配置したもので、従来は図６に示すように、ｂ４７には著作権のあるコンテンツであるか否かを示すＣＰＭ、ｂ４６にはプロテクションシステムが使用されているか否かを示すＣＰ＿ＳＥＣ、ｂ４５−ｂ４４はＣＧＭＳ（Ｃｏｐｙ  Ｇｅｎｅｒａｔｉｏｎ  Ｍａｎａｇｅｍｅｎｔ  Ｓｙｓｔｅｍ）に関する情報を示すＣＧＭＳのぞれぞれのビットで構成され、残りのｂ４３−ｂ０は未使用として００ｈデータで埋められている。本実施例では、図７に示すように、ＣＰＲ＿ＭＡＩの最後の１Ｂすなわちｂ７−ｂ０をスクランブルのための情報（ＳＣＲＭＢＬ）として用いている。このように従来技術での未使用部を利用するすることで、従来技術との整合性を良くしている。
【００１３】
図８、図９は、上記ステップＳ４０３におけるデータスクランブル方法についての説明図である。図８は、ＳＣＲＭＢＬの初期値設定番号とデータスクランブルのためのレジスター初期値の関係を示し、図９は、データスクランブル用のスクランブルバイトＳｋをフィードバックシフトレジスタにより得る方法とスクランブルのための式を示す。データスクランブルの手順は、以下のようになる。すなわち、
（１）ＣＲＭＢＬの初期値を１ＥＣＣブロック毎にランダムに決定する。初期値をランダムに決定する方法は種々あるが、本実施形態ではＭ系列の擬似ランダム信号を生成させることにより１ＢのＣＲＭＢＬ初期値設定番号を決定する。なお、ランダム信号は、他の方法でを発生させてもよい。
（２）上記ＣＲＭＢＬ初期値設定番号より図８を用いてレジスター初期値を決定する。例えば、ＣＲＭＢＬ初期値設定番号が０ｈのときはレジスター初期値は０００１ｈとなる。また、ＣＲＭＢＬ初期値設定番号が１ｈのときはレジスター初期値は５５００ｈとなる。
（３）上記レジスター初期値を図９に示したフィードバックシフトレジスタの初期値に入れる。例えば、レジスター初期値が０００１ｈのときには、各レジスターの値はＲ１４〜Ｒ０に順で、０００００００００００００１となる。また、レジスター初期値が５５００ｈのときには、同様に、１０１０１０１００００００００となる。
（４）上記フィードバックシフトレジスターのＲ７〜Ｒ０の下位８ビットをスクランブル用のスクランブルバイトＳ０とする。このようにスクランブルバイトはフィードバックレジスターの下位８ビットを使用する。
（５）次に上記フィードバックシフトレジスターを８ビットシフトさせ、次のスクランブルバイトＳ１を得る。ここで、フィードバックシフトレジスターは図９に示すような排他的ＯＲ処理（エクスクルーシブＯＲ処理）を行っている。
（６）同様な８ビットシフトを連続して行い、スクランブルバイトＳ２〜Ｓ２０４７を得る。
（７）図５に示したメインデータＤ０〜Ｄ２０４７に対して、上記スクランブルバイトＳ０〜Ｓ２０４７との排他的ＯＲ（エクスクルーシブＯＲ）をとり、スクランブル後のメインデータＤ’０−Ｄ’２０４７を得る。これを式で表すと図９中の式（１）のようになる。
このように、本実施例では、光ディスク装置が上記ＳＣＲＭＢＬデータを略ランダムに生成する。このため、メインデータが同じであっても、スクランブル後のデータを異ならせることが可能となる。
【００１４】
図１０は、上記ステップＳ４０４のＥＣＣエンコード処理後におけるＥＣＣブロックの構成を示す。該ＥＣＣブロックは、１８２バイトのデータが２０８行集まった構成となっている。１８２バイトのうちの１０バイトは、ＰＩ（インナーパリティコード）と呼ばれるエラー訂正コード、また、２０８行のうちの１６行は、ＰＯ（アウターパリティコード）と呼ばれるエラー訂正コードであり、ＰＩ、ＰＯを合わせてＥＣＣエラー訂正コードと呼ぶ。
【００１５】
図１１は、上記ステップＳ４０５のインターリブ後におけるＥＣＣブロックの構成を示す。これは、上記１９２行のデータと１６行のＰＯをそれぞれ１６分割し、１２＋１行ずつにまとめたものである。これを光ディスク上に記録する時には、光ディスク上の１セクタに、上記１２行のデータと１行のＰＯから成る１３行のデータが記録される。従って、上記ＥＣＣブロックの１ブロックを記録するためには、光ディスク上には１６セクタ（すなわち、１３行×１６セクタ＝２０８行）記録することになる。上記ＥＣＣブロック内１セクタにおいて、ＰＩとＰＯを除いたデータ量は、１７２Ｂ×１２＝２０６４Ｂで、この中にデータＩＤが４Ｂ、ＩＥＤが２Ｂ、リザーブが６Ｂ、ＥＤＣが４Ｂ含まれる。このため、正味のユーザデータは、これらを差し引いた２０４８Ｂとなる。従って、ＥＣＣブロック１個当たりのユーザデータ量は、２０４８Ｂ×１６＝３２７６８Ｂになる。
【００１６】
図１２は、本実施例における記録データ作成方法の説明図である。
図１２において、光ディスク装置の上位システムからデータ記録命令（Ｓ１０）が来た場合、
（１）まず、データを記録する光ディスク上のアドレスを取得する（ステップＳ１１）。
（２）上記アドレスをデータＩＤとし、該データＩＤに基づくエラーディテクションコード（ＩＥＤ）を生成し、データＩＤに付加する（ステップＳ１２）。
（３）Ｍ系列から成る擬似ランダム信号を生成させて、ランダムの１バイト信号を作成する。これをＳＣＲＭＢＬデータとする（ステップＳ１３）。
（４）上記ＣＰＲ＿ＭＡＩデータ領域の最後部の１バイトに該ＳＣＲＭＢＬデータを埋め込む（ステップＳ１４）。
（５）エラーディテクションコード（ＥＤＣ）を計算して、（データＩＤ＋ＩＥＤ＋ＣＰＲ＿ＭＡＩ＋メインデータ＋ＥＤＣ）を作成する（ステップＳ１５）。
（６）上記ＳＣＲＭＢＬデータを初期値として、上述した方法により、メインデータに対してデータスクランブルを行う（ステップＳ１６）。
（７）ＥＣＣエンコードし（ステップＳ１７）、
（８）インターリブし（ステップＳ１８）、
（９）ＳＹＮＣコードを付加して（ステップＳ１９）、
（１０）記録データとして完成させる（ステップＳ２０）。
（１１）上記記録データのブロックをＥＣＣブロックとし、該ＥＣＣブロック単位で光ディスクにデータを記録する。
上記記録方法によれば、光ディスクの同じアドレスに同じデータを記録した場合、ＳＣＲＭＢＬデータがランダムに切り替わるため、実際に記録する記録データ（ステップＳ２０における記録データ）は、記録膜上の同じ位置に同じデータが記録されることはほとんどない。このため、同じデータが記録膜上の同じ場所に多数回書き換えられることで起こる記録膜の劣化を抑える。
【００１７】
図１３は、上記記録方法で光ディスク１００（図１）に記録された記録データを、図１の光ディスク装置で再生する場合の再生方法の説明図である。
図１３において、再生手順としては、
（１）光ディスク１００にフォーカス・トラッキング制御回路２２０によりフォーカス・トラッキング制御をかけ、スライダモータ３２０により所定のアドレス付近に光ヘッド２００を移動させ、再生信号を得る（ステップＳ７００）。
（２）データ復調回路２５０によりデータ復調を行い、図１１のようなＥＣＣブロック単位のデータを得る（ステップＳ７０１）。
（３）上記得たデータをデインターリブして、図１０のようなＥＣＣブロックのデータを得る（ステップＳ７０２）。
（４）次に、ＥＣＣデコードし、スクランブルされたデータを得る（ステップＳ７０３）。
（５）次に、ＳＣＲＭＢＬデータを用いて、メインデータをデスクランブルして、図５にような構成のデータを得る（ステップＳ７０４）。
（６）次に、ＥＤＣデコードして（ステップＳ７０５）、最終のメインデータを得る（ステップＳ７０６）。
（７）データＩＤは、ＥＣＤデコード後、ＩＥＤデコードして得られる（ステップＳ７０７）。
【００１８】
図１４は、本発明の効果の説明図であって、図１の光ディスク装置によるジッタ特性の実測結果例を示す。この結果、従来の光ディスク装置では、同じデータの書換えを数十回行うと、再生信号によるジッタが急激に増加し、１００回程度で再生許容限界の約１２％に達する。これに対し、本発明の光ディスク装置では、同じデータの書換えを１０００回行っても再生信号によるジッタは１０％未満で、全く問題ないレベルにある。
【００１９】
上記実施例によれば、スクランブル用のデータをランダムに切り換えるため、光ディスクに対し、同じデータを繰り返し記録した場合にも記録膜の劣化を少なくして、データの書換え可能回数を大幅に増大させることが可能となる。記録開始点のシフトや記録パターンの複雑な並べ替えなどを不要にすることができる。また、スクランブル用のデータとして、アドレス信号の一部に替えて上記ＳＣＲＭＢＬ信号を用いるため、従来システムの多くの部分を利用してシステムを構成することができる。
【００２０】
なお、上記実施例では、ＳＣＲＭＢＬをＣＰＲ＿ＭＡＩの最終の１Ｂに配する構成としたが、本発明はこれに限定されず、該ＳＣＲＭＢＬは、ＣＰＲ＿ＭＡＩの他の場所に配してもよいし、あるいは別に新たな場所を設け、そこに配するようにしてもよい。また、上記実施例では、ＳＣＲＭＢＬのバイト数は１バイトとしたが、本発明はこれにも限定されず、例えば、２ビット以上１バイト以下や、１バイト以上としてもよい。また、上記実施例では、スクランブル用のデータをランダムに切り換える場合につき説明したが、このランダムの程度としては、例えば、作成される記録データが数種類のパターンに形成されるものであれば、規則性のあるスクランブルがかけられるようにしてもよく、本発明はかかる場合も含むものとする。
【００２１】
【発明の効果】
本発明によれば、光ディスクへのデータ記録において、同じデータを繰り返し記録した場合にも該光ディスクの記録膜の劣化を少なくでき、記録データの書換え可能な回数を大幅に増大させることができる。
【図面の簡単な説明】
【図１】本実施例の一実施例としての光ディスク装置の構成図である。
【図２】ＤＶＤ―ＲＷの光ディスクの外観図である
【図３】図１の光ディスク装置における記録データ生成方法の説明図である。
【図４】従来のデータスクランブル前のデータ構成図である。
【図５】本発明に係るデータスクランブル前のデータ構成図である。
【図６】従来のＣＰＭ＿ＭＡＩのビット配置図である。
【図７】本発明に係るＣＰＭ＿ＭＡＩのビット配置図である。
【図８】本発明におけるＳＣＲＭＢＬ初期値設定番号とレジスター初期値の関係を示す図である。
【図９】本発明におけるデータスクランブル方法の説明図である。
【図１０】本発明におけるＥＣＣエンコード後のデータ構成を示す図である。
【図１１】本発明におけるインターリブ後のデータ構成を示す図である。
【図１２】本発明に係る光ディスク装置のデータ記録方法のフローチャート図である。
【図１３】図１の光ディスク装置におけるデータ再生方法の説明図である。
【図１４】図１の光ディスク装置におけるジッタ特性の実測結果例を示す図である。
【符号の説明】
１００…光ディスク、  ２００…光ヘッド、  ２２０…フォーカス・トラッキング制御回路、  ２３０…ＲＦ信号増幅回路、  ２５０…データ復調回路、  ３００…モータ、  ３１０…モータ制御回路、  ３３０…スライダモータ制御回路、  ４３０…レーザ駆動回路、  ５００…システムコントローラ。
【図１】
2004318984.tif 000003
【図２】
2004318984.tif 000004
【図３】
2004318984.tif 000005
【図４】
2004318984.tif 000006
【図５】
2004318984.tif 000007
【図６】
2004318984.tif 000008
【図７】
2004318984.tif 000009
【図８】
2004318984.tif 000010
【図９】
2004318984.tif 000011
【図１０】
2004318984.tif 000012
【図１１】
2004318984.tif 000013
【図１２】
2004318984.tif 000014
【図１３】
2004318984.tif 000015
【図１４】
2004318984.tif 000016